(57)【要約】【課題】地球温暖化に悪影響を与えずに、付着水を速やかに被洗浄物表面から除去できる付着水除去用溶剤組成物を提供することを目的とする。【解決手段】ハイドロフルオロカーボン、ハイドロフルオロエーテルまたはその混合物と、チオエーテルを主成分とする界面活性剤を含む付着水除去用溶剤組成物を使用することにより、付着水を速やかに被洗浄物表面から除去する。【選択図】なし【特許請求の範囲】
【請求項１】
ハイドロフルオロカーボン、ハイドロフルオロエーテルまたはその混合物と、チオエーテルを主成分とする界面活性剤を含む付着水除去用溶剤組成物。
【請求項２】
チオエーテルが、式ＲＳ（ＣmＨ2mＯ）n H（式中、ｍは１〜５、ｎは１〜２０である）で表されるアルキルポリアルコキシチオエーテルであることを特徴とする請求項１に記載の付着水除去用溶剤組成物。
【請求項３】
式中、アルコキシ基（ＣmＨ2mＯ）が、エトキシ（Ｃ2Ｈ4Ｏ）またはプロポキシ（Ｃ3Ｈ6Ｏ）であることを特徴とする請求項２に記載の付着水除去用溶剤組成物。
【請求項４】
式中、アルキル基Ｒが、炭素数が４以上１８以下のアルキル基であることを特徴とする請求項２または３に記載の付着水除去用溶剤組成物。
【請求項５】
アルキルポリアルコキシチオエーテルが、ドデシルポリエトキシチオエーテルまたはドデシルプロポキシチオエーテルであることを特徴とする請求項２〜４のいずれか１項に記載の付着水除去用溶剤組成物。
【請求項６】
ハイドロフルオロカーボンが炭素数３から８のハイドロフルオロカーボンであることを特徴とする請求項１〜５のいずれか１項に記載の付着水除去用溶剤組成物。
【請求項７】
ハイドロフルオロエーテルが炭素数３から８のハイドロフルオロエーテルであることを特徴とする請求項１〜５のいずれか１項に記載の付着水除去用溶剤組成物。
【請求項８】
ハイドロフルオロカーボンがデカフルオロペンタンであることを特徴とする請求項１〜５のいずれか１項に記載の付着水除去用溶剤組成物。
【請求項９】
ハイドロフルオロエーテルが1,1,1-トリフルオロエチル-1,1,2,2-テトラフルオロエチルエーテルであることを特徴とする請求項１〜５のいずれか１項に記載の付着水除去用溶剤組成物。
【請求項１０】
チオエーテルの配合量が、付着水除去用溶剤組成物全量に対して、０．０１〜１０重量％である請求項１〜９のいずれか１項に記載の付着水除去用溶剤組成物。
【請求項１１】
チオエーテルの配合量が、付着水除去用溶剤組成物全量に対して０．１〜５重量％である請求項１〜９のいずれか１項に記載の付着水除去用溶剤組成物。
【請求項１２】
請求項１〜１１のいずれか１項に記載された付着水除去用溶剤組成物で、付着水を除去した後、チオエーテルを含まないハイドロフルオロカーボン、ハイドロフルオロエーテルまたはそれらの混合物を用いてチオエーテルをすすぎ除去することを特徴とする付着水除去方法。
【請求項１３】
ハイドロフルオロカーボンがデカフルオロペンタンであることを特徴とする請求項１２記載の付着水除去方法。
【請求項１４】
ハイドロフルオロエーテルが2,2,2-トリフルオロエチル-1,1,2,2-テトラフルオロエチルエーテルであることを特徴とする請求項１２記載の付着水除去方法。
【発明の詳細な説明】
【技術分野】
【０００１】
本発明は、高度にフッ素化された新規なハイドロフルオロカーボン、ハイドロフルオロエーテル及びこれに適した界面活性剤を用いた付着水除去用溶剤組成物であり、さらには精密機械工業、光学機械工業や電子工業等において金属部品や電子部品、プラスチック部品、ガラス部品等を水溶性洗浄剤で洗浄した後の付着水を有機溶剤に置換して乾燥するための付着水除去用溶剤組成物及び付着水除去方法に関するものである。
【背景技術】
【０００２】
従来、精密金属部品や電子部品、プラスチック部品、ガラス部品等において水溶性洗浄剤で洗浄した後に、その付着残留した水分を除去する目的で、被洗浄物を傷めず低毒性や不燃性、低腐食性等の特性に優れ、また付着水除去工程及びその除去用溶剤自体の除去に適当な沸点を持つものとしてハイドロクロロフルオロカーボン（例えばHCFC-225）に界面活性剤を混合した組成物が使用されてきた。
しかしハイドロクロロフルオロカーボンについても、現在はオゾン層保護の観点から生産量削減など使用規制が実施されている（特許文献１、特許文献２）。
【先行技術文献】
【特許文献】
【０００３】
【特許文献１】特開平２−２０４４６８号公報
【特許文献２】特開平７−１９７０９１号公報
【発明の概要】
【発明が解決しようとする課題】
【０００４】
そこで、本発明においては、ハイドクロロフルオロカーボン系の付着水除去用溶剤組成物が有する低毒性、不燃性、低腐食性の特性を失うことなく優れた水置換性を持ち、かつ塩素を分子構造に含まないためオゾン層を破壊する恐れの無い、新規のハイドロフルオロカーボン系の付着水除去用溶剤組成物及び付着水除去方法を提供することを目的とする。
【課題を解決するための手段】
【０００５】
本発明者は、上記問題を解決するため、鋭意研究を行った結果、高度にフッ素化されたハイドロフルオロカーボン、ハイドロフルオロエーテルもしくはこれらの混合物にチオエーテル系界面活性剤を混合してなる組成物が、付着水除去用溶剤組成物として有用なものであることを見出し、本発明に至った。
【０００６】
（１）本発明の付着水除去用溶剤組成物
本発明の付着水除去用溶剤組成物は、ハイドロフルオロカーボン、ハイドロフルオロエーテルもしくはこれらの混合物と、チオエーテルを主成分とする界面活性剤を含む付着水除去用溶剤組成物である。
【０００７】
チオエーテルは、式ＲＳ（ＣmＨ2mＯ）n H（式中、ｍは１〜５、ｎは１〜２０である）で表されるアルキルポリアルコキシチオエーテルであることが好ましく、式中、アルコキシ基（ＣmＨ2mＯ）は、エトキシ（Ｃ2Ｈ4Ｏ）またはプロポキシ（Ｃ3Ｈ6Ｏ）であることが好ましい。また、式中、アルキル基Ｒは、炭素数が４以上１８以下のアルキル基であることが好ましい。本発明のアルキルポリアルコキシチオエーテルとしては、ドデシルポリエトキシチオエーテル、またはドデシルポリプロポキシチオエーテルであることが、より好ましい。
【０００８】
本発明の付着水除去用溶剤組成物において、ハイドロフルオロカーボンは、炭素数３から８のハイドロフルオロカーボンであることが好ましく、デカフルオロペンタンであることが更に好ましい。ハイドロフルオロエーテルは、炭素数３から８のハイドロフルオロエーテルであることが好ましく、1,1,1-トリフルオロエチル-1,1,2,2-テトラフルオロエチルエーテルであることが更に好ましい。
【０００９】
本発明の付着水除去用溶剤組成物では、チオエーテルの配合量は、付着水除去用溶剤組成物全量に対して、０．０１〜１０重量％であることが好ましく、０．１〜５重量％であることが更に好ましい。
【００１０】
（２）本発明の付着水除去方法
本発明の別の態様としては、本発明の上記付着水除去用溶剤組成物で付着水を除去した後、チオエーテルを含まないハイドロフルオロカーボン、ハイドロフルオロエーテルまたはそれらの混合物を用いてチオエーテルをすすぎ除去することを特徴とする付着水除去方法である。チオエーテルを含まない「ハイドロフルオロカーボン」または「ハイドロフルオロエーテル」として、上記本発明の付着水除去用溶剤組成物において使用する、ハイドロフルオロカーボンまたは、ハイドロフルオロエーテルを使用することができる。
【００１１】
上記の付着水除去用溶剤組成物で付着水を除去した後、チオエーテルを含まないハイドロフルオロカーボン、ハイドロフルオロエーテルまたはそれらの混合物を用いることで、被洗浄物表面に残留した微量のチオエーテル等をすすぎ除去することができる。
【発明の効果】
【００１２】
本発明の付着水除去用溶剤組成物は、被洗浄物から付着水を置換除去し、被洗浄物表面を清浄にする性能に優れ、そしてオゾン層に悪影響を与えることがなく、従来使用されてきたHCFC-225等のハイドロクロロフルオロカーボンに置き換えることができる。
【発明を実施するための形態】
【００１３】
本発明の付着水除去用溶剤組成物は、従来の浸漬や超音波浴などの簡易な方法を使用して、被洗浄物表面から付着した水分を除去することを特徴とするものである。以下、付着水除去用溶剤組成物の成分であるハイドロフルオロカーボンおよびハイドロフルオロエーテル、並びに、チオエーテル系界面活性剤について説明する。
【００１４】
（１）ハイドロフルオロカーボンおよびハイドロフルオロエーテル
（ア）ハイドロフルオロカーボン
本発明において、ハイドロフルオロカーボンとは、炭素、水素、フッ素原子よりなる化合物、即ち、炭化水素の水素原子の一部がフッ素原子に置換された化合物をいう。ハイドロフルオロカーボンの中では、炭素数が３〜８のハイドロフルオロカーボンが好ましく、炭素数が４〜６のハイドロフルオロカーボンが更に好ましい。ハイドロフルオロカーボンの具体例としては、1,1,1,2,2,3,4,5,5,5-デカフルオロペンタン、1,1,1,3,3-ペンタフルオロブタン、トリデカフルオロヘキサンなどが例示される。これらの中では、1,1,1,2,2,3,4,5,5,5-デカフルオロペンタンを使用するのが好ましい。
【００１５】
（イ）ハイドロフルオロエーテル
またハイドロフルオロエーテルとは炭素、水素、フッ素、酸素原子よりなるエーテル結合を有する化合物、即ち、アルキルエーテルの水素原子の一部がフッ素原子に置換された化合物をいう。ハイドロフルオロエーテルの中では、炭素数が炭素数が３〜８のハイドロフルオロエーテルが好ましく、炭素数が４〜６のハイドロフルオロエーテルが更に好ましい。ハイドロフルオロエーテルの具体例としては、1,1、1-トリフルオロエチル-1,1,2,2,-テトラフルオロエチルエーテル、ノナフルオロブチルメチルエーテルやメトキシパーフルオロヘプテンなどが例示される。これらの中では、1,1、1-トリフルオロエチル-1,1,2,2,-テトラフルオロエチルエーテルを使用するのが好ましい。これらのハイドロフルオロカーボンまたは、ハイドロフルオロエーテルは単独で用いても良く、またこれらを混合して使用しても良い。
【００１６】
（２）チオエーテル系界面活性剤
本発明で使用するチオエーテルは、チオエーテル系界面活性剤であり、式ＲＳ（ＣmＨ2mＯ）n H（式中、ｍは１〜５、ｎは１〜２０である）で表されるアルキルポリアルコキシチオエーテルであることが好ましい。この式中において、アルコキシ基（ＣmＨ2mＯ）は、ｍが２または３であるエトキシ（Ｃ2Ｈ4Ｏ）または、プロポキシ（Ｃ3Ｈ6Ｏ）であることが好ましい。また、この式中、アルキル基Ｒは、炭素数が４以上１８以下のアルキル基であることが好ましく、炭素数８以上１３以下が更にこのましい。具体的には、炭素数が１２であるドデシル等を挙げることができる。式中、アルコキシの重合度ｎは７〜１５であることが好ましい。
本発明のアルキルポリアルコキシチオエーテルとしては、具体的には、ドデシルポリエトキシチオエーテルまたはドデシルプロポキシチオエーテルを挙げることができる。これらのチオエーテルは、単独で用いてもよく、またこれらチオエーテルを混合して使用しても良い。
【００１７】
チオエーテルの配合量は、付着水除去用溶剤組成物全量に対して、０．０１〜１０重量％であり、好ましくは０．１〜５重量％である。チオエーテルの配合量が１０重量％以上の場合、この処理工程後も被処理物の表面に界面活性剤が残留する恐れが有るからであり、また０．０１重量％未満では付着水除去の効果を得られにくいからである。
【００１８】
本発明の付着水除去用溶剤組成物には、任意成分として以下の溶剤および安定剤を加えることができる。
（溶剤）本発明の付着水除去用溶剤組成物には、主成分としてのアルコキシフルオロアルケン以外に、目的に応じて、その他の溶剤を任意成分として加えることができる。溶剤としては、例えば、炭化水素類、アルコール類、ケトン類、エーテル類、エステル類等から選ばれる少なくとも1種以上の溶剤を単独で、または任意に混合して使用できる。これらの混合物は、共沸組成物を形成するものであると、本発明の付着水除去用溶剤組成物と一緒に除去されるので、さらに好ましい。しかしながら、溶剤が可燃性の場合、多量に混合すると、混合物全体が可燃性となるので好ましくはない。
【００１９】
（安定剤）さらに、本発明の付着水除去用溶剤組成物には、安定剤として、ニトロメタンなどのニトロアルカン類、プロピレンオキシドなどのエポキシド類、フラン類、ベンゾトリアゾール類、フェノール類、アミン類等から選ばれる少なくとも１種を加えることができる。
【００２０】
（３）付着水を除去する方法
本発明の付着水除去用溶剤組成物を用いる付着水除去方法は、水溶性洗浄剤で洗浄した後の付着水を従来に用いられる浸漬、シャワー、液中スプレー、超音波浴などの方法にて本発明の付着水除去用溶剤組成物に置換し、さらに主成分である高度にフッ素化された新規なハイドロフルオロカーボン、ハイドロフルオロエーテルを用いて洗浄する付着水除去方法に関するものである。
本発明の付着水除去方法において、付着水除去用溶剤組成物に置換させる方法は特に制限されるものでなく、公知のいずれの方法も使用できる。例えば、付着水除去用溶剤組成物への浸漬、スプレーなどにより接触させることが好ましい。
本発明による付着水除去用溶剤組成物の沸騰液中または、冷浴もしくは温浴中、または蒸気層中に浸漬、静置することにより実施できる。浸漬による洗浄においては、洗浄効果を高めるために、同時に攪拌、揺動、超音波、エアバブリングなどを組み合せることが更に好ましい。また沸騰液中または、冷浴もしくは温浴中に超音波を併用することにより、より効果を上げることもできる。付着水除去をする洗浄工程は沸騰液中で行うことがより好ましい。
【実施例】
【００２１】
以下、実施例を挙げて本発明を更に詳しく説明するが、本発明はこれらの例に限定されるものではない。
【００２２】
表１に、本発明の付着水除去用溶剤組成物に用いられているフッ素系溶剤の地球温暖化係数と沸点を示す。なお、地球温暖化係数(GWP: Global Warming Potential) とは、二酸化炭素を基準にして、ほかの温室効果ガスがどれだけ温暖化する能力があるか表した数字をいい、単位質量の温室効果ガスが大気中に放出されたときに、一定時間内に地球に与える放射エネルギーの積算値(すなわち温暖化への影響)を、CO2に対する比率として見積もったものである。
【００２３】
【表１】
2013169531.tif 000002
【００２４】
Ａ）水分除去テスト
（実施例１）
清浄な6 x 60 x 1mmの鉄片を室温で1分間純水中に浸漬し付着した水分重量を測定した後、0.5重量%のドデシルポリエトキシチオエーテルをハイドロフルオロカーボンである1,1,1,2,2,3,4,5,5,5-デカフルオロペンタンに含有させた沸騰液中に1分間静置した後、鉄片に付着した水分重量を測定した。結果を表２に示す。なお、ドデシルポリエトキシチオエーテルは、Chemical Product Industry社製のMicro-Clean（登録商標） 12-7を使用した。
【００２５】
（比較例１）
1,1,1,2,2,3,4,5,5,5-デカフルオロペンタンに界面活性剤を含有させずに実施例１と同様の操作を行なった。結果を表２に示す。
【００２６】
（実施例２）
ハイドロフルオロエーテルとして1,1、1-トリフルオロエチル-1,1,2,2,-テトラフルオロエチルエーテルを用いて、実施例１と同様の操作を行なった。結果を表２に示す。
【００２７】
（比較例２）
1,1、1-トリフルオロエチル-1,1,2,2,-テトラフルオロエチルエーテルに界面活性剤を含有させずに実施例１と同様の操作を行なった。結果を表２に示す。
【００２８】
【表２】
2013169531.tif 000003
【００２９】
Ｂ）表面清浄性評価テスト
（実施例３）
清浄な6 x 60 x 1mmの鉄片を室温で1分間純水中に浸漬した後、0.5重量%のドデシルポリエトキシチオエーテルを含有する1,1,1,2,2,3,4,5,5,5-デカフルオロペンタンの沸騰液中に1分間静置し、次に1,1,1,2,2,3,4,5,5,5-デカフルオロペンタンの沸騰液中に1分間静置し、表面状態を観察した。結果を表３に示す。
【００３０】
（実施例４）
清浄な6 x 60 x 1mmの鉄片を室温で1分間純水中に浸漬した後、0.5重量%のドデシルポリエトキシチオエーテルを含有する1,1,1-トリフルオロエチル-1,1,2,2-テトラフルオロエチルエーテルの沸騰液中に1分間静置し、次に1,1,1-トリフルオロエチル-1,1,2,2-テトラフルオロエチルエーテルの沸騰液中に1分間静置し、表面状態を観察した。結果を表３に示す。
【００３１】
（比較例３）
清浄な6 x 60 x 1mmの鉄片を室温で1分間純水中に浸漬した後、0.5重量%のドデシルポリエトキシチオエーテルを含有する1,1,1,2,2,3,4,5,5,5-デカフルオロペンタンの沸騰液中に1分間静置し、表面状態を観察した。結果を表３に示す。
【００３２】
（比較例４）
清浄な6 x 60 x 1mmの鉄片を室温で1分間純水中に浸漬した後、0.5重量%のドデシルポリエトキシチオエーテルを含有する1,1,1-トリフルオロエチル-1,1,2,2-テトラフルオロエチルエーテルルの沸騰液中に1分間静置し、表面状態を観察した。結果を表３に示す。
【００３３】
【表３】
2013169531.tif 000004
【００３４】
実施例３と比較例３並びに、実施例４と比較例４を比べると、いずれの場合においても、ドデシルポリエトキシチオエーテルを含有した付着水除去用溶剤組成物で洗浄した後にすすぎ除去することで鉄片の染みが生じることなく高い表面洗浄性を示すことが確認された。
【産業上の利用可能性】
【００３５】
本発明の付着水除去用溶剤組成物を用いて付着水の除去を行なう方法により、地球温暖化に悪影響を与えずに、付着水を速やかに被洗浄物表面から除去し、かつ被洗浄物を熱風等により傷めることなくしみ等を被洗浄物表面に残さない清浄な物品とすることが可能となる。